(57)【特許請求の範囲】
【請求項１】
互いに異なる周波数帯域で、かつ、互いに異なる速度で周波数掃引される複数の局部発振信号を生成する局部発振信号生成部と、
入力された無線信号を、前記局部発振信号生成部が出力する前記複数の局部発振信号それぞれに対応する周波数帯域に分割し、分割された周波数帯域の無線信号それぞれを当該周波数帯域に対応する前記局部発振信号と乗算することにより、前記分割された周波数帯域の無線信号を同一の低周波数帯域に周波数変換して出力する周波数変換部と、
前記周波数変換部の出力をデジタル信号に変換して出力するアナログ−デジタル変換部と、
前記アナログ−デジタル変換部の出力を周波数領域の信号に変換し、変換した信号の電力値が予め定めた閾値電力を超えた周波数成分について受信信号が有ると判定し、当該周波数成分の受信信号が周波数を遷移する速度に基づいて信号を分離する信号分離検出部と、
を具備し、
前記信号分離検出部は、
前記受信信号に対する無線信号の周波数を、
前記受信信号が低周波数帯域を遷移する周波数遷移量と同一の周波数遷移量で周波数掃引された局部発振信号の周波数と、前記受信信号の周波数とから算出する
ことを特徴とする受信システム。
【請求項２】
請求項１に記載の受信システムであって、
前記信号分離検出部は、
前記受信信号に対応する局部発振信号の周波数が増加する掃引をした際に、前記受信信号の周波数が増加する遷移をしていた場合、前記受信信号を、前記受信信号に対応する局部発振信号で周波数変換した下側波帯の成分と判定し、
前記受信信号に対応する局部発振信号の周波数が増加する掃引をした際に、前記受信信号の周波数が減少する遷移をしていた場合、前記受信信号を、前記受信信号に対応する局部発振信号で周波数変換した上側波帯の成分と判定し、
前記受信信号に対応する局部発振信号の周波数が減少する掃引をした際に、前記受信信号の周波数が減少する遷移をしていた場合、前記受信信号を、前記受信信号に対応する局部発振信号で周波数変換した下側波帯の成分と判定し、
前記受信信号に対応する局部発振信号の周波数が減少する掃引をした際に、前記受信信号の周波数が増加する遷移をしていた場合、前記受信信号を、前記受信信号に対応する局部発振信号で周波数変換した上側波帯の成分と判定する
ことを特徴とする受信システム。
【請求項３】
請求項１又は請求項２のいずれかに記載の受信システムであって、
前記信号分離検出部は、
前記局部発振信号の位相雑音の影響が少ない周波数帯域において、前記受信信号を検出する
ことを特徴とする受信システム。
【請求項４】
請求項１から請求項３のいずれか一項に記載の受信システムであって、
前記局部発振信号生成部は、
前記複数の局部発振信号の電力を互いに異なる時間変化のパターンを用いて変化させるとともに、前記複数の局部発振信号の電力の総和を一定にさせる
ことを特徴とする受信システム。
【請求項５】
請求項１から請求項４のいずれか一項に記載の受信システムであって
前記局部発振信号生成部は、
所定の周波数を有する信号を出力する局部発振器と、
前記局部発振器が出力する信号に対して、逓倍と分周とのいずれか一方、あるいは両方をして前記複数の局部発振信号を生成する周波数調整部と
を備えることを特徴とする受信システム。
【請求項６】
請求項５に記載の受信システムであって、
前記局部発振信号生成部が備える前記局部発振器は１つであり、
前記周波数変換部の内部で生じる前記局部発振器の逓倍信号を用いて前記複数の局部発振信号を生成する
ことを特徴とする受信システム。
【請求項７】
請求項１から請求項６のいずれか一項に記載の受信システムであって、
前記周波数変換部は、
所定の周波数の偶数倍波又は奇数倍波のいずれか一方の発生を抑圧するミキサを用いて構成され、
前記局部発振信号生成部は、
前記所定の周波数を有する信号と、前記所定の周波数の偶数倍波又は奇数倍波のいずれか一方の信号とを前記複数の前記複数の局部発振信号として生成する
ことを特徴とする受信システム。
【請求項８】
請求項１から請求項７のいずれか一項に記載の受信システムであって、
前記信号分離検出部は、更に、
前記局部発振信号生成部の局部発振信号の周波数、及び、搬送波の初期位相を示す位相情報を用いて、前記受信信号に含まれるデータの復調を行う
ことを特徴とする受信システム。
【請求項９】
請求項１から請求項８のいずれか一項に記載の受信システムであって、
前記信号分離検出部は、
無線周波数帯ごとの用途、無線電力規格、無線変調方式、及び当該用途において用いられる位置を示す周波数利用情報を用いて、前記受信信号を検出する
ことを特徴とする受信システム。
【請求項１０】
請求項１から請求項９のいずれか一項に記載の受信システムであって、
前記信号分離検出部と前記アナログ−デジタル変換部とが、前記局部発振信号生成部と周波数変換部と異なる場所に配置され、
前記アナログ−デジタル変換部は、ネットワークを介して、前記周波数変換部が変換した信号を受信する
ことを特徴とする受信システム。
【発明の詳細な説明】
【技術分野】
【０００１】
本発明は、広帯域な無線信号を受信する受信システムに関する。
【背景技術】
【０００２】
近年、携帯電話や無線ＬＡＮなどの無線通信システムの発展に伴い、周波数需要が増大している。特に、数ＧＨｚ帯の周波数帯においては稠密に周波数が割り当てられており、新たな周波数帯域を確保することが難しい。このため、既に割当て済みの周波数の中で、「空間的」、「時間的」に使い分けることで、周波数の利用効率を上げることが検討されている。
【０００３】
この実現には、利用状況により変化する利用可能な周波数帯域をリアルタイムに把握する必要がある。求められるセンシング用の無線受信機としては、周波数を広帯域に受信すること、他のシステムが存在しないことを示す低い受信レベルまで高精度に受信すること、高速なセンシングを実現することなどが必要である。
【０００４】
無線帯域におけるセンシングには、広帯域な無線受信機で受信した無線信号を周波数変換後にデジタル化し、ソフトウェア無線機で解析する方法［非特許文献１］、スペクトラムアナライザを用いて広帯域な受信帯域を掃引しながら電力を受信する方法などがある［非特許文献２］。また、電波の利用状況を監視する電波監視システムは、無線信号を受信し、高速デジタル専用回線を用いてセンタ局へ集約し、データベース作成を行っている［非特許文献３］。
【先行技術文献】
【非特許文献】
【０００５】
【非特許文献１】石井、山本、樋口、「電波監視を考慮したソフトウェア受信機の開発」１９９８年電子情報通信学会通信ソサイエティ大会  B5-47、page 297, 1998.
【非特許文献２】”Agilent N9344C Handheld Spectrum Analyzer Data Sheet”、[online]、平成２３年３月１６日、アジレント・テクノロジー（Agilent Technologies, Inc.）［平成２３年６月３０日検索］、インターネット<URL: http://cp.literature.agilent.com/litweb/pdf/5990-7193EN.pdf>
【非特許文献３】「DEURASシステム概要」、［online］、平成２２年７月３０日、総務省関東総合通信局、［平成２３年６月３０日検索］、インターネット<URL: http://www.soumu.go.jp/soutsu/kanto/re/system/index.html>
【発明の概要】
【発明が解決しようとする課題】
【０００６】
しかしながら、非特許文献１に記載されている技術では、対応する無線周波数帯が広帯域となった場合、デジタル信号へ変換時のデータ量が多く、アナログ−デジタル変換部や、信号処理部の処理負荷が大きくなるという問題がある。また、ネットワーク側へ伝送する際のコストが大きくなるという問題が生じる。
【０００７】
また、非特許文献２に記載されている技術では、対応する無線周波数帯が広帯域となった場合、受信機で掃引が完了するまでの時間が長くなり、リアルタイム性が低下するという課題がある。
【０００８】
本発明はこのような事情に鑑みてなされたもので、広帯域な無線周波数帯をセンシングする受信機において、ＩＦ（Intermediate Frequency；中間周波数）帯や、ベースバンド帯域の信号をデジタル化する際の負荷、及びデジタル信号を処理する際の負荷を低減し、無線周波数帯を掃引する際に要する時間を短縮することができる受信システムを提供することにある。
【課題を解決するための手段】
【０００９】
上述した課題を解決するため、本発明は、互いに異なる周波数帯域で、かつ、互いに異なる速度で周波数掃引される複数の局部発振信号を生成する局部発振信号生成部と、入力された無線信号を、前記局部発振信号生成部が出力する前記複数の局部発振信号それぞれに対応する周波数帯域に分割し、分割された周波数帯域の無線信号それぞれを当該周波数帯域に対応する前記局部発振信号と乗算することにより、前記分割された周波数帯域の無線信号を同一の低周波数帯域に周波数変換して出力する周波数変換部と、前記周波数変換部の出力をデジタル信号に変換して出力するアナログ−デジタル変換部と、前記アナログ−デジタル変換部の出力を周波数領域の信号に変換し、変換した信号の電力値が予め定めた閾値電力を超えた周波数成分について受信信号が有ると判定し、当該周波数成分の受信信号が周波数を遷移する速度に基づいて信号を分離する信号分離検出部と、を具備することを特徴とする受信システムである。
【００１０】
また、上記に記載の発明において、前記信号分離検出部は、前記受信信号に対する無線信号の周波数を、前記受信信号が低周波数帯域を遷移する周波数遷移量と同一の周波数遷移量で周波数掃引された局部発振信号の周波数と、前記受信信号の周波数とから算出することを特徴とする。
【００１１】
また、上記に記載の発明において、前記信号分離検出部は、前記受信信号に対応する局部発振信号の周波数が増加する掃引をした際に、前記受信信号の周波数が増加する遷移をしていた場合、前記受信信号を、前記受信信号に対応する局部発振信号で周波数変換した下側波帯の成分と判定し、前記受信信号に対応する局部発振信号の周波数が増加する掃引をした際に、前記受信信号の周波数が減少する遷移をしていた場合、前記受信信号を、前記受信信号に対応する局部発振信号で周波数変換した上側波帯の成分と判定し、前記受信信号に対応する局部発振信号の周波数が減少する掃引をした際に、前記受信信号の周波数が減少する遷移をしていた場合、前記受信信号を、前記受信信号に対応する局部発振信号で周波数変換した下側波帯の成分と判定し、前記受信信号に対応する局部発振信号の周波数が減少する掃引をした際に、前記受信信号の周波数が増加する遷移をしていた場合、前記受信信号を、前記受信信号に対応する局部発振信号で周波数変換した上側波帯の成分と判定することを特徴とする。
【００１２】
また、上記に記載の発明において、前記信号分離検出部は、前記局部発振信号の位相雑音の影響が少ない周波数帯域において、前記受信信号を検出することを特徴とする。
【００１３】
また、上記に記載の発明において、前記局部発振信号生成部は、前記複数の局部発振信号の電力を互いに異なる時間変化のパターンを用いて変化させるとともに、前記複数の局部発振信号の電力の総和を一定にさせることを特徴とする。
【００１４】
また、上記に記載の発明において、前記局部発振信号生成部は、所定の周波数を有する信号を出力する局部発振器と、前記局部発振器が出力する信号に対して、逓倍と分周とのいずれか一方、あるいは両方をして前記複数の局部発振信号を生成する周波数調整部とを備えることを特徴とする。
【００１５】
また、上記に記載の発明において、前記局部発振信号生成部が備える前記局部発振器は１つであり、前記周波数変換部の内部で生じる前記局部発振器の逓倍信号を用いて前記複数の局部発振信号を生成することを特徴とする。
【００１６】
また、上記に記載の発明において、前記周波数変換部は、所定の周波数の偶数倍波又は奇数倍波のいずれか一方の発生を抑圧するミキサを用いて構成され、前記局部発振信号生成部は、前記所定の周波数を有する信号と、前記所定の周波数の偶数倍波又は奇数倍波のいずれか一方の信号とを前記複数の前記複数の局部発振信号として生成することを特徴とする。
【００１７】
また、上記に記載の発明において、前記信号処理部は、更に、前記局部発振信号生成部の局部発振信号の周波数、及び、搬送波の初期位相を示す位相情報を用いて、前記受信信号に含まれるデータの復調を行うことを特徴とする。
【００１８】
また、上記に記載の発明において、前記信号処理部は、無線周波数帯ごとの用途、無線電力規格、無線変調方式、及び当該用途において用いられる位置を示す周波数利用情報を用いて、前記受信信号を検出することを特徴とする。
【００１９】
また、上記に記載の発明において、前記信号分離検出部と前記アナログ−デジタル変換部とが、前記局部発振信号生成部と周波数変換部と異なる場所に配置され、前記アナログ−デジタル変換部は、ネットワークを介して、前記周波数変換部が変換した信号を受信することを特徴とする。
【発明の効果】
【００２０】
本発明によれば、センシング対象となる無線信号の周波数帯域を複数に分割し、分割した周波数帯域ごとに周波数変換し、同一の周波数帯域に変換する。このとき、分割した周波数帯域それぞれに対応する局部発振信号を並行に掃引することにより、無線信号の周波数帯域の掃引に要する時間を短縮することができる。また、分割された周波数帯域それぞれの無線信号を同一の周波数帯域に変換することで、変換した無線信号の帯域を削減することができ、変換した無線信号をデジタル化する際に要する負荷、デジタル化した無線信号を処理する際の負荷を低減することができる。
【図面の簡単な説明】
【００２１】
【図１】第１実施形態における受信機１００の構成を示す概略ブロック図である。
【図２】同実施形態における無線周波数帯の信号、局部発振信号、及びＩＦ帯の信号の一例を示す図である。
【図３】同実施形態における局部発振信号ごとの掃引速度（傾き）の一例を示す図である。
【図４】同実施形態における信号処理部１８０が行う受信信号を検出する際の周波数及び電力判定手法のフローチャートである。
【図５】第２実施形態における受信機２００の構成を示す概略ブロック図である。
【図６】同実施形態における局部発振信号ごとの掃引速度（傾き）の一例を示す図である。
【図７】同実施形態における無線周波数帯の信号、局部発振信号、及びＩＦ帯の信号の一例を示す図である。
【図８】第３実施形態における受信機３００の構成を示す概略ブロック図である。
【図９】同実施形態における振幅制御器３３５ａ〜３３５ｃを用いた局部発振信号の電力変化パターンを示す図である。
【図１０】変形例としての受信システム４００の構成を示す概略ブロック図である。
【発明を実施するための形態】
【００２２】
まず、本発明に係る実施形態における受信機（受信システム）の概要について説明する。以下の実施形態における受信機は、広帯域の周波数帯域を複数の周波数帯域に分割し、それぞれの帯域に含まれる信号を中間周波数（Intermediate Frequency；ＩＦ）帯（又はベースバンド周波数帯）の信号へ周波数変換する。このとき、互いに掃引する周波数帯域が異なり、かつ、掃引速度（周波数変化速度）が異なる複数の局部発振信号を用いて、同一のＩＦ帯の信号へ周波数変換する。同じＩＦ帯に周波数変換された信号は、ＩＦ帯において合成されることとなるため、特にデジタル変換した場合のデータ量を小さくする効果がある。一方、合成されたＩＦ帯の信号を分離する際は、掃引速度（周波数変化速度）の相違に基づいて分離する。以下、本発明に係る実施形態を、図面を参照して説明する。ここで、掃引とは、周波数変換に用いる局部発振信号の周波数を、予め定められたステップで、ある周波数から異なる周波数に変化させることである。
【００２３】
（第１実施形態）
図１は、第１実施形態における受信機１００の構成を示す概略ブロック図である。同図に示すように、受信システムとしての受信機１００は、広帯域ＬＮＡ（Low Noise Amplifier；低雑音増幅器）１１０と、局部発振信号生成部１２０、周波数変換部１３０、周波数帯域制限部１４０と、利得調整部１５０と、合成器１６０と、アナログ−デジタル変換部１７０と、信号処理部１８０とを備えている。
【００２４】
広帯域ＬＮＡ１１０は、アンテナを介して受信したＲＦ（Radio Frequency；無線周波数）信号を増幅し、増幅したＲＦ信号を周波数変換部１３０に出力する。
局部発振信号生成部１２０は、それぞれが異なる周波数の局部発振信号（ＬＯ１，ＬＯ２，…，ＬＯＭ）を生成する局部発振器１２１−１〜１２１−Ｍの複数を有している。局部発振信号生成部１２０は、各局部発振器１２１−１〜１２１−Ｍが生成する局部発振信号を周波数変換部１３０に出力する。局部発振器１２１−１〜１２１−Ｍは、発振周波数を掃引して使うことができる。局部発振器１２１−１〜１２１−Ｍが局部発振信号の周波数を掃引する速度（掃引速度）は、局部発振器１２１−１〜１２１−Ｍごとに異なる。以下、局部発振信号ＬＯ１における掃引速度をＶｏｓｃ１とし、局部発振信号ＬＯＭにおける掃引速度をＶｏｓｃＭとする。
また、局部発振器１２１−１〜１２１−Ｍが生成する局部発振信号は、センシング対象とする無線周波数帯を分割したそれぞれの周波数帯に１対１に対応している。分割された無線周波数帯の信号それぞれは、対応する局部発振信号を用いて周波数変換することにより、同一のＩＦ帯に周波数変換される。
【００２５】
周波数変換部１３０は、複数の無線周波数帯のＲＦ信号を、ＩＦ帯の信号に同時に周波数変換する。周波数変換部１３０は、局部発振信号生成部１２０が出力する各局部発振信号に対応するミキサ１３１を複数有している。各ミキサ１３１には、対応する局部発振信号と、ＲＦ信号とが入力される。各ミキサ１３１は、局部発振信号とＲＦ信号とを乗算し、乗算によりＩＦ帯に変換された信号を出力する。各ミキサ１３１でＩＦ帯に周波数変換された信号は、周波数帯域制限部１４０に出力される。
【００２６】
周波数帯域制限部１４０は、周波数変換部１３０から出力される複数の信号それぞれに含まれるＩＦ帯の信号を通過させる。周波数帯域制限部１４０は、周波数変換部１３０が有する各ミキサ１３１に対応するローパスフィルタ回路１４１を複数有している。各ローパスフィルタ回路１４１は、周波数変換部１３０が出力する信号に含まれるＩＦ帯以外の信号を減衰させて利得調整部１５０に出力する。
利得調整部１５０は、周波数帯域制限部１４０から出力される複数のＩＦ帯の信号に対して、利得調整を行い合成器１６０に出力する。利得調整部１５０は、周波数帯域制限部１４０が有する各ローパスフィルタ回路１４１に対応して設けられている可変利得増幅器（ＶＧＡ）１５１を複数有している。各ＶＧＡ１５１は、周波数変換部１３０や周波数帯域制限部１４０における信号処理で減衰した信号のレベルを、予め定められた電力レベルになるよう増幅し、増幅した信号を合成器１６０に出力する。
【００２７】
合成器１６０は、利得調整部１５０から出力される複数のＩＦ帯の信号を１つのアナログ信号に合成してアナログ−デジタル変換部１７０に出力する。
アナログ−デジタル変換部１７０は、予め定められたサンプリング周波数で、合成器１６０が出力する信号に対してサンプリングを行い、アナログ信号の強度に応じたデジタル信号に変換し、時系列データのデジタル信号を生成する。また、アナログ−デジタル変換部１７０は、生成した時系列データのデジタル信号を信号処理部１８０に出力する。
信号処理部１８０には、アナログ−デジタル変換部１７０においてデジタル化された信号が入力される。信号処理部１８０は、入力された信号に対してフーリエ変換を行い、ＩＦ帯信号の周波数情報（各周波数ごとの電力情報、位相情報）を算出する。信号処理部１８０は、閾値以上の電力が検出されたＩＦ帯信号の周波数情報の時間方向の変化を測定することにより、どのＲＦ周波数に信号が存在するかを検出する。このとき、信号処理部１８０は、局部発振信号ＬＯ１〜ＬＯＭそれぞれの周波数変化速度（掃引速度）に基づいて、周波数情報から受信信号の分離及び検出を行う。
なお、デジタル化された時系列の入力信号から周波数情報の時間方向の変化を測定する為の信号変換方法は、フーリエ変換以外にも短時間フーリエ変換やウェーブレット変換、またウィグナー分布解析等を行う時間周波数変換方法を利用しても良い。また検出する値は相関値などの大きさでも良く、信号の電力レベルに限らない。
【００２８】
図２は、本実施形態における無線周波数帯の信号、局部発振信号、及びＩＦ帯の信号の一例を示す図である。ここでは、局部発振信号生成部１２０が３つの局部発振信号（ＬＯ１、ＬＯ２、ＬＯＭ）を生成する場合について説明する。局部発振信号に対する掃引速度をＶｏｓｃ１、Ｖｏｓｃ２、ＶｏｓｃＭとし、各局部発振信号に対応する無線周波数帯に信号（ＲＦ１、ＲＦ２及びＲＦＭ）があるものとする。
同図に示すように、各局部発振信号を掃引することにより、ＩＦ帯に周波数変換された信号（ＩＦ１、ＩＦ２及びＩＦＭ）は、時間の経過に応じて、ＩＦ帯における周波数が遷移する。ＩＦ帯における周波数の単位時間当たりの遷移量は、局部発振信号の掃引速度と等しい。そこで、ＩＦ帯における信号が、無線周波数帯においてどの周波数帯域に存在していたかを検出することができる。また、ある時刻における局部発振信号の周波数に、同時刻に検出されたＩＦ帯の信号の周波数差を加算することにより、検出された信号が存在した無線周波数を判定することができる。
【００２９】
図３は、本実施形態における局部発振信号ごとの掃引速度（傾き）の一例を示す図である。同図において、横軸は時間を示し、縦軸はＩＦ帯に周波数変換した後の信号が検出された周波数を示す。同図に示すように、局部発振信号の掃引速度は、ＩＦ帯に変換された信号の周波数変化速度（傾き）として現れる。すなわち、受信信号がそれぞれの周波数帯域における線スペクトラムと仮定したとき、各局部発振信号を掃引しながら周波数変換を行うことによって、線スペクトラムが時間軸上で周波数を遷移しながら観測されることになる。このとき、観測される線スペクトラムの単位時間あたりの周波数の遷移量が、局部発振信号の掃引速度と等しくなることから、当該線スペクトラムがどの周波数帯に存在するかを検出することができる。また、ある時刻のＬＯ信号の発振周波数にそのときに観測された信号の周波数差を加算することにより、受信信号の存在する周波数を判定できる。
【００３０】
図４は、本実施形態における信号処理部１８０が行う受信信号を検出する際の周波数及び電力判定手法のフローチャートである。ここでは、局部発振信号生成部１２０が有する局部発振器１２１−１〜１２１−Ｍは、周波数が増加する方向に掃引を行うものとする。
信号処理部１８０には、アナログ−デジタル変換部１７０からデジタル信号に変換された時系列データの信号と、局部発振信号の周波数及び掃引速度、各周波数ごとの電力情報、位相情報が入力される（ステップＳ１０１）。なお、各周波数ごとの電力情報、位相情報に替えて、閾値を超える電力が検出された周波数の値を入力してもよい。
信号処理部１８０は、アナログ−デジタル変換部１７０から入力される信号の受信電力を測定し、測定した受信電力が予め定められた閾値電力Ｐ０以上の信号があるか否かを判定する（ステップＳ１０２）。信号処理部１８０は、受信電力が閾値電力Ｐ０以上の信号がない場合（ステップＳ１０２：ＮＯ）、受信信号を検出する処理を終了する。
【００３１】
一方、信号処理部１８０は、受信電力が閾値電力Ｐ０以上の信号がある場合（ステップＳ１０２：ＹＥＳ）、当該信号の周波数変化速度がＶｏｓｃ１であるか否かの判定を行い（ステップＳ１０３）、周波数変化速度がＶｏｓｃ１である場合（ステップＳ１０３：ＹＥＳ）、局部発振信号ＬＯ１で周波数変換した下側波帯（Low Side Band；ＬＳＢ）成分と判定する（ステップＳ１０４）。一方、信号処理部１８０は、信号の周波数変化速度がＶｏｓｃ１でない場合（ステップＳ１０３：ＮＯ）、処理をステップＳ１０５に進める。
【００３２】
信号処理部１８０は、閾値電力Ｐ０以上の信号の周波数変化速度が−Ｖｏｓｃ１であるか否かを判定し（ステップＳ１０５）、周波数変化速度が−Ｖｏｓｃ１である場合（ステップＳ１０５：ＹＥＳ）、局部発振信号ＬＯ１で周波数変換した上側波帯（Upper Side Band；ＵＳＢ）成分と判定する（ステップＳ１０６）。一方、信号処理部１８０は、閾値電力Ｐ０以上の信号の周波数変化速度が−Ｖｏｓｃ１でない場合（ステップＳ１０５：ＮＯ）、処理をステップＳ１０７に進める。
【００３３】
信号処理部１８０は、閾値電力Ｐ０以上の信号の周波数変化速度がＶｏｓｃｉ（ｉ＝２，…，Ｍ）であるか否かを判定し（ステップＳ１０７）、周波数変化速度がＶｏｓｃｉである場合（ステップＳ１０７：ＹＥＳ）、局部発振信号ＬＯｉで周波数変換したＬＳＢ成分と判定する（ステップＳ１０８）。一方、信号処理部１８０は、信号の周波数変化速度がＶｏｓｃｉでない場合（ステップＳ１０７：ＮＯ）、処理をステップＳ１０９に進める。
【００３４】
信号処理部１８０は、閾値電力Ｐ０以上の信号の周波数変化速度が−Ｖｏｓｃｉ（ｉ＝２，…，Ｍ）であるか否かを判定し（ステップＳ１０９）、周波数変化速度が−Ｖｏｓｃｉである場合（ステップＳ１０９：ＹＥＳ）、当該信号を局部発振信号ＬＯｉで周波数変換したＵＳＢ成分と判定する（ステップＳ１１０）。一方、信号処理部１８０は、信号の周波数変化速度が−Ｖｏｓｃｉでない場合（ステップＳ１０９：ＮＯ）、処理をステップＳ１１１に進める。
【００３５】
信号処理部１８０は、閾値電力Ｐ０以上の信号の周波数変化速度がＮ×Ｖｏｓｃｉ（ｉ＝１，２，…，Ｍ）であるか否かを判定し（ステップＳ１１１）、周波数変化速度がＮ×Ｖｏｓｃｉである場合（ステップＳ１１１：ＹＥＳ）、局部発振信号ＬＯｉのＮ倍波で周波数変換したＬＳＢ成分と判定する（ステップＳ１１２）。一方、信号処理部１８０は、信号の周波数変化速度がＮ×Ｖｏｓｃｉでない場合（ステップＳ１１１：ＮＯ）、処理をステップＳ１１３に進める。
【００３６】
信号処理部１８０は、閾値電力Ｐ０以上の信号の周波数変化速度が−Ｎ×Ｖｏｓｃｉ(ｉ＝１，２，…，Ｍ)であるか否かを判定し（ステップＳ１１３）、周波数変化速度が−Ｎ×Ｖｏｓｃｉである場合（ステップＳ１１３：ＹＥＳ）、当該信号を局部発振信号ＬＯｉのＮ倍波で周波数変換したＵＳＢ成分と判定する（ステップＳ１１４）。一方、信号処理部１８０は、信号の周波数変化速度が−Ｎ×Ｖｏｓｃｉでない場合（ステップＳ１１３：ＮＯ）、受信信号を検出する処理を終了する。
【００３７】
上述のように、信号処理部１８０は、アナログ−デジタル変換部１７０から入力されるＩＦ帯の信号において、電力が閾値電力Ｐ０以上の信号の周波数変化速度と、各局部発振信号ＬＯ１、ＬＯ２、…、ＬＯＭの周波数変化速度（掃引速度）とを比較する。これにより、閾値電力Ｐ０以上の電力を有する信号が、無線周波数帯におけるどの周波数の信号であるか、及び、ＬＳＢ成分又はＵＳＢ成分であるかを検出する。また、各局部発振信号の整数倍の帯域における無線信号を検出するとともに、当該無線信号がＬＳＢ成分又はＵＳＢ成分のいずれであるかを検出することができる。
【００３８】
なお、局部発振器１２１−１〜１２１−Ｍのうちいずれかの局部発振器において、周波数を掃引しない構成の場合、検出した受信信号の周波数変化速度が０のときは、発振周波数が固定された局部発振信号で周波数変換したＬＳＢ成分又はＵＳＢ成分として判定する。
【００３９】
このように、センシング対象の無線周波数帯を複数の周波数帯に分割し、分割した各周波数帯における信号を同一のＩＦ帯に周波数変換した場合であっても、周波数変化速度（掃引速度）に基づいて、いずれの局部発振信号を用いて周波数変換したものか特定することができ、受信した信号が存在する周波数を検出することができる。
【００４０】
このほか、信号処理部１８０は、受信処理に必要とされる各種信号の処理を行ってもよい。例えば、必要とされる各種信号には、受信信号に対する誤り制御、復号化処理、伸張処理などの処理や受信信号の監視などの処理があげられる。
【００４１】
また、図４に示した検出アルゴリズムにおいて、閾値電力Ｐ０以上であるか否かを判定する周波数帯域を、ある特定の周波数帯域に限定するようにしてもよい。この場合、例えば局部発振信号の位相雑音の影響が少ないＩＦ帯を選ぶこと、また周波数帯域制限部１４０にデジタルフィルタを用いるとき通過帯域を低い周波数にすることにより精度を改善することができるため、この２つの条件に基づいて、受信機１００において最適な判定周波数を選択するようにしてもよい。
また、受信機１００内のスプリアスや、外部からの干渉波の影響が少ない特定の周波数をＩＦ帯に選ぶことも、信号の検出に効果的である。
【００４２】
上述のように、本実施形態における受信機１００は、センシング対象とする広周波数帯域の受信信号を複数の周波数帯域の信号として扱い、当該周波数帯域ごとに対応する局部発振信号を用いて、同一のＩＦ帯へ周波数変換する。すなわち、受信機１００は、広周波数帯域の受信信号をＩＦ帯へ変換する際に、受信信号を重畳して、受信信号の周波数帯域を減少させている。受信機１００は、ＩＦ帯のアナログ信号の段階で合成し、合成波をデジタル化する構成としている。これにより、ＩＦ帯それぞれのアナログ信号に対してアナログ−デジタル変換をする場合に比べ、アナログ−デジタル変換における負荷、変換により得られるデジタル信号のデータ量を削減することができる。
これにより、受信機１００は、広帯域なＲＦ周波数帯域の受信信号をデジタル信号に変換する場合に比べ、デジタル信号へ変換する際のデータ量を大幅に削減することができ、アナログ−デジタル変換部１７０や、信号処理部１８０の処理負荷を削減することができる。また、ＩＦ帯に変換した信号を伝送する際に要するデータ帯域を削減することができ、ネットワークに与える負荷を低減することができる。
【００４３】
また、本実施形態における受信機１００は、上述のように、広周波数帯域の受信信号を複数の周波数帯域の信号として扱い、当該周波数帯域ごとに対応する局部発振信号を用いて、周波数の掃引を並行して行う。これにより、掃引に要する時間を短縮することができ、リアルタイム性を向上させることができる。特に、広周波数帯域をセンシングする場合、１つの局部発振信号を用いて掃引すると時間が掛かるという問題があるが、複数の周波数帯域に分割し、分割した周波数帯域を並行に掃引することにより、センシングに要する時間をより短縮することができる。
また、ＬＳＢ成分とＵＳＢ成分との分離を行うことができ、高精度な受信信号の検出を行うことができる。
【００４４】
（第２実施形態）
図５は、第２実施形態における受信機２００の構成を示す概略ブロック図である。同図に示すように、受信システムとしての受信機２００は、広帯域ＬＮＡ１１０と、局部発振信号生成部２２０と、周波数変換部１３０と、周波数帯域制限部１４０と、利得調整部１５０と、アナログ−デジタル変換部１７０と、信号処理部１８０とを備えている。同図において、第１実施形態の受信機１００(図１)と同じ構成には同じ符号を付して、その説明を省略する。
【００４５】
局部発振信号生成部２２０は、１つの局部発振器２２１と、分配器２２２と、複数の周波数調整器２２３とを有している。局部発振器２２１は、周波数ＬＯ１を有する局部発振信号を生成し、生成した局部発振信号を分配器２２２に出力する。分配器２２２は、入力された局部発振信号をＭ個に分配して出力する。分配器２２２が出力するＮ個の局部発振信号のうち１つの局部発振信号は、周波数調整器２２３を介さずに、周波数変換部１３０に直接出力されてもよい。周波数調整器２２３は、分配器２２２から入力された局部発振信号を逓倍又は分周することにより周波数を調整して周波数変換部１３０に出力する。
この構成により、局部発振信号生成部２２０は、局部発振器２２１が生成する周波数ＬＯ１の局部発振信号を逓倍又は分周して得られるＭ個の局部発振信号を周波数変換部１３０に出力する。なお、局部発振器２２１と分配器２２２と周波数調整器２２３のセットを複数用意して、Ｍ’個の局部発振信号を周波数変換部１３０に出力してもよい。
【００４６】
図６は、本実施形態における局部発振信号ごとの掃引速度（傾き）の一例を示す図である。同図に示すように、局部発振信号生成部２２０において、局部発振器２２１が生成する周波数ＬＯ１の局部発振信号を基準信号として逓倍して用いるため、掃引速度（傾き）が周波数ＬＯ１の局部発振信号の整数倍となる。なお、分周して得られた局部発振信号の場合は分数倍になる。
【００４７】
図７は、本実施形態における無線周波数帯の信号、局部発振信号、及びＩＦ帯の信号の一例を示す図である。ここでは、局部発振信号生成部２２０が３つの局部発振信号（ＬＯ１、ＬＯ２及びＬＯＮ）を生成する場合について説明する。局部発振信号に対応する無線周波数帯に信号（ＲＦ１、ＲＦ２及びＲＦＮ）があるものとする。このとき、局部発振信号（ＬＯ１、ＬＯ２及びＬＯＮ）それぞれの掃引速度は、Ｖｏｓｃ１、２×Ｖｏｓｃ１、Ｎ×Ｖｏｓｃ１となる。
同図に示すように、局部発振器２２１が局部発振信号ＬＯ１を掃引速度Ｖｏｓｃ１で掃引することにより、無線周波数帯の信号ＲＦ１、ＲＦ２、ＲＦＮがＩＦ帯のＩＦ１、ＩＦ２、ＩＦＮに変換され信号が、掃引速度Ｖｏｓｃ１、２×Ｖｏｓｃ１、Ｎ×Ｖｏｓｃ１で周波数が変化する。
【００４８】
上述の構成により、受信機２００では、１つの局部発振信号ＬＯ１をＮ個に分配し、分配した局部発振信号ＬＯ１それぞれを逓倍又は分周により周波数を調整した後に、周波数変換部１３０へ入力する。これにより、局部発振器の数を減らすことができ、受信機２００を小型化できる。また、１つの局部発振信号ＬＯ１の掃引速度を予め決定し、その特性を事前に測定等で較正することにより、逓倍又は分周による周波数成分の変化速度は、その整数倍又は分数倍となる。その結果、信号処理部１８０が行う、周波数及び電力判定手法における受信信号の検出が容易となる。
【００４９】
（第３実施形態）
図８は、第３実施形態における受信機３００の構成を示す概略ブロック図である。同図に示すように、受信機３００は、広帯域ＬＮＡ１１０と、局部発振信号生成部３２０と、周波数変換部としてのミキサ１３１と、周波数帯域制限部としてのローパスフィルタ回路１４１と、利得調整部としてのＬＮＡ１５１と、アナログ−デジタル変換部１７０と、信号処理部１８０とを備えている。本実施形態の受信機３００において、第１実施形態の受信機１００（図１）と同じ構成には同じ符号を付して、その説明を省略する。
【００５０】
局部発振信号生成部３２０は、局部発振器３２１と、分配器３２２と、２逓倍器３２３と、４逓倍器３２４と、振幅制御器３２５ａ、３２５ｂ、３２５ｃと、合成器３２６とを有している。
局部発振器３２１は、局部発振信号ＬＯ１を生成する。分配器３２２は、局部発振器３２１が生成した局部発振信号ＬＯ１を３つに分配し、１つを振幅制御器３２５ａに出力し、１つを２逓倍器３２３に出力し、１つを４逓倍器３２４に出力する。２逓倍器３２３は、入力された局部発振信号ＬＯ１の周波数を２逓倍して振幅制御器３２５ｂに出力する。４逓倍器３２４は、入力された局部発振信号ＬＯ１の周波数を４逓倍して振幅制御器３２５ｃに出力する。３つの振幅制御器３２５ａ〜３２５ｃは、入力された局部発振信号の振幅（電力）を調整する。合成器３２６は、３つの振幅制御器３２５ａ〜３２５ｃで振幅を調整された信号を合成してミキサ１３１に出力する。
【００５１】
本実施形態における受信機３００は、１つのミキサ１３１で、局部発振信号ＬＯ１の周波数帯域と、その２倍波帯域、４倍波帯域を同時にセンシングすることができる。信号処理部１８０は、無線周波数帯においていずれの帯域の信号を検出したのかを、前述の周波数及び電力判定手法（図４）を用いることで判定する。
受信機３００において、ミキサ１３１を１つとしたことにより、無線周波数帯（ＲＦ）のバンドパスフィルタを除去又は簡易化できる。また、低雑音増幅器やミキサ、ＩＦ帯におけるローパスフィルタなどの回路を削減することができ、受信機３００の小型化を図ることができる。
また、局部発振器の数を減らせるため、受信機３００を小型化できる。また、１つの局部発振信号の掃引速度を決定し、その特性を事前に測定等で較正すれば、逓倍又は分周器による周波数成分の掃引速度は、その整数倍又は分数倍となるため、前記の周波数及び電力判定手法（図４）において判定が容易となる。
【００５２】
図８に示したように、１つのミキサに３つの異なる周波数の局部発振信号を入力した場合、図６に示した局部発振信号の周波数変化速度をもとにした周波数及び電力判定手法に加えて、局部発振信号にそれぞれ異なる振幅変化パターンを加えることにより、信号を分離する際の情報を増やすことができる。
例えば、図９に示すように、各局部発振信号の振幅（電力）を変化させる。
【００５３】
図９は、本実施形態における振幅制御器３２５ａ〜３２５ｃを用いた局部発振信号の電力変化パターンを示す図である。同図において、縦軸は各局部発振信号の電力を示し、横軸は時間を示す。図９（ａ）は、振幅制御器３２５ａが出力する局部発振信号ＬＯ１の電力を示す。振幅制御器３２５ａは、予め定められた周期で、局部発振信号ＬＯ１の電力を三角波状に変化させる。図９（ｂ）は、振幅制御器３２５ｂが出力する局部発振信号ＬＯ２の電力を示す。振幅制御器３２５ｂは、振幅制御器３２５ａと同じ周期で、かつ逆の傾きで、局部発振信号ＬＯ２の電力を三角波状に変化させる。図９（ｃ）は、振幅制御器３２５ｃが出力する局部発振信号ＬＯ３の電力を示す。振幅制御器３２５ｃは、局部発振信号ＬＯ３の電力を一定にさせる。
【００５４】
図９（ｄ）は、合成器３２６が出力する各局部発振信号を合成した信号の電力を示す。図９（ａ）〜（ｃ）のように電力（振幅）が制御された局部発振信号を合成することにより、合成した信号の電力を一定にすることができる。
これにより、ミキサ１３１に入力される局部発振信号の電力を一定にすることができ、局部発振信号の電力変化に伴うＲＦ信号に対する線形性などの特例劣化が生じることを防ぐことができる。
このように、周波数の掃引速度だけでなく、局部発振信号ごとに互いに異なるように振幅の変化を付与することで、信号処理部１８０において、信号を分離する際に、掃引速度及び振幅の変化を検出することで、受信信号を検出する精度を改善することができる。
【００５５】
なお、本実施形態において、局部発振信号生成部はＬＯ１のみを生成し、ミキサ１３１へ入力した際に生じるミキサ１３１内の局部発振信号ＬＯ１の逓倍波信号で、複数の局部発振信号の代用とすることもできる。一般的にはミキサ内部で生じる逓倍波成分はＬＯ１と比較すると受信感度は弱くなるが、２逓倍から５逓倍くらいまでの範囲であれば数ｄＢから３０ｄＢ程度の受信感度の低下で実現できる。この場合でも同様に、周波数変化速度の違いをもとに、無線周波数や電力などの情報をセンシングすることが可能である。各逓倍波に対する受信感度を予め把握しておくことで、受信信号の電力を算出することができる。
【００５６】
なお、本実施形態において、ミキサ１３１に、局部発振信号ＬＯ１の偶数倍波の発生を抑圧するミキサを用いるようにしてもよい。これにより、ミキサ１３１内における２倍波、４倍波などの発生が抑圧される。その状態において、別途２逓倍、４逓倍された局部発振信号である局部発振信号ＬＯ２、ＬＯ３を入力すると、２倍、４倍波帯を受信する際にもＲＦ信号の線形性の劣化を抑圧することができる。また、局部発振信号の電力変化パターンを付加する際にも影響を低減することができる。
また、ミキサ１３１に、局部発振信号ＬＯ１の奇数倍波の発生を抑圧するミキサを用いることにより、ミキサ１３１内における３倍波、５倍波などの発生が抑圧される。その状態において、別途局部発振信号ＬＯ１を３逓倍、５逓倍した局部発振信号ＬＯ２、ＬＯ３を入力すると、３倍、５倍波帯を受信する際にもＲＦ信号の線形性の劣化を抑圧することができる。
【００５７】
また、局部発振器３２１としては、電圧制御発振器（Voltage Controlled Oscillator；ＶＣＯ）や、ダイレクトデジタルシンセサイザ、又はメモリに内蔵されたデジタル波形データをデジタルアナログ変換器で生成する方法などを使用できる。特に、ダイレクトデジタルシンセサイザは、切替え速度が高速な周波数可変の局部発振器として使用できるため、高速なセンシングに適している。
また、局部発振器３２１と分配器３２２と２逓倍器３２３と４逓倍器３２４と振幅制御器３２５ａ〜３２５ｃとのセットを複数用意して、Ｍ’個の局部発振信号を生成、生成したＭ’個の局部発振信号を合成器３２６で１つの信号に合成してミキサ１３１に出力するようにしてもよい。
【００５８】
各実施形態における受信機１００、２００、３００において、信号処理部１８０は、周波数及び電力を判定するだけでなく、受信信号の復調を行うようにしてもよい。特に、周波数変調や振幅変調方式であれば容易である。また、特に、位相を制御できる発振器であれば、周波数だけでなく搬送波の初期位相を示す位相情報を用いて、位相を同期させた局部発振信号を用いれば、ＱＰＳＫ（Quadrature Phase Shift Keying；四位相偏移変調）などの位相変調信号を受信する場合でも復調することができる。この場合、信号処理部１８０は、閾値電力Ｐ０以上の受信信号を検出すると、当該受信信号に対する無線周波数帯における周波数を算出し、算出した周波数における初期位相を示す位相情報を用いて復調を行うようにする。
【００５９】
また、信号処理部１８０は、無線周波数帯ごとの用途や、無線電力規格、無線変調方式、当該用途において用いられる位置などを示す周波数利用情報を記憶する共通データベースを内蔵するか、若しくはネットワーク上に設けられたサーバ装置に問い合わせて参照し、前述の周波数及び電力判定手法と組み合わせることで、周波数判定の精度を向上させることもできる。また、信号処理部１８０は、周波数利用情報が示す変調方式などに対応する復調を行うことにより、電力及び周波数判定だけでなく、検出した電波データの復調も行うことができる。
【００６０】
図１０は、各実施形態における受信機に対する変形例としての受信システム４００の構成を示す概略ブロック図である。受信システム４００において、第１実施形態と同じ構成には同じ符号を付して、その説明を省略する。受信システム４００は、アナログ−デジタル変換部１７０の出力を、ネットワーク回線４９０を介して、受信装置と異なる位置に設けられた信号処理部１８０（演算装置）に伝送する点が第１実施形態の受信機１００と異なる。
【００６１】
受信システム４００は、周波数変換部１３０が受信した無線信号をＩＦ帯の信号に周波数変換し、アナログ−デジタル変換部１７０がデジタル化した後、ネットワーク回線４９０を介して、電波データを遠方の信号処理部１８０に送る構成である。信号処理部１８０が行う周波数及び電力判定手法をより高速に行うには、演算能力の高い演算装置を用いて行うことが望ましい。これに対して、受信システム４００は、ネットワーク回線４９０を介して、高度なワークステーション等を信号処理部１８０として使うことできる。また、電波の利用状況などをモニタリングし、共通のデータベースを構築する際にもこのような構成が好適である。なお、信号処理部１８０に伝送する信号は、アナログ−デジタル変換部１７０で変換する前の信号でもよい。また、受信装置から演算装置に電波データを伝送する伝送段は、アナログ信号伝送方式とデジタル信号伝送方式にいずれの方式を選択してもよい。
【００６２】
なお、上述の各実施形態では、無線周波数帯のＲＦ信号をＩＦ帯の信号に変換する構成について説明したが、これに限ることなく、無線周波数帯のＲＦ信号をベースバンド帯の信号に変換するようにしてもよい。
上述の実施形態に示した構成は、一実施形態として示したものであり、本願発明の特徴を変えない範囲で、数量、組合せなどを変更することができる。
【００６３】
また、上述の各実施形態では、掃引速度を予め定めた一定の速度とした構成について説明したが、これに限ることなく、時刻の経過とともに掃引速度を変化させるようにしてもよい。
また、本発明における信号分離検出部は、上述の各実施形態における信号処理部１８０に対応する。
【００６４】
なお、本発明における受信機及び受信システムの機能を実現するためのプログラムをコンピュータ読み取り可能な記録媒体に記録して、この記録媒体に記録されたプログラムをコンピュータシステムに読み込ませ、実行することにより、上述の周波数及び電力判定の処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【符号の説明】
【００６６】
１００,２００，３００…受信機
１１０…広帯域ＬＮＡ
１２０，２２０，３２０…局部発振信号生成部
１２１−１，１２１−２，１２１−Ｍ，２２１，３２１…局部発振器
１３０…周波数変換部
１３１…ミキサ
１４０…周波数帯域制限部
１４１…ローパスフィルタ回路
１５０…利得調整部
１５１…ＶＧＡ
１６０…合成器
１７０…アナログ−デジタル変換部
１８０…信号処理部
２２２…分配器
２２３…周波数調整器
３２２…分配器
３２３…２逓倍器
３２４…４逓倍器
３２５ａ，３２５ｂ，３２５ｃ…振幅制御器
３２６…合成器
４００…受信システム
４９０…ネットワーク回線
【図１】
0005555208.tif 000002
【図２】
0005555208.tif 000003
【図３】
0005555208.tif 000004
【図４】
0005555208.tif 000005
【図５】
0005555208.tif 000006
【図６】
0005555208.tif 000007
【図７】
0005555208.tif 000008
【図８】
0005555208.tif 000009
【図９】
0005555208.tif 000010
【図１０】
0005555208.tif 000011